【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
実質的にＵ字型の旅行用枕であって、該旅行用枕は、
第１の内面を有する第１の側部と、
前記第１の内面に対向する第２の内面を有する、第２の側部と、
前記第１の側部と前記第２の側部との間にあり、第３の内面と後面とを有する後部とを備え、
前記後面は実質的に平坦であることを特徴とする、旅行用枕。
【請求項２】
前記後部は、前記２つの側部のいずれよりも薄いことを特徴とする、請求項１に記載の枕。
【請求項３】
前記枕は、ベースクッションと上置きクッションとを画定することを特徴とする、請求項１又は請求項２に記載の枕。
【請求項４】
前記第３の内面と前記後面との間に充填材をさらに備えることを特徴とする、請求項１から請求項３のいずれか１項に記載の枕。
【請求項５】
前記第１の側部と前記第２の側部のいずれもが前記後部に対してほぼ直角をなすように、前記旅行用枕は実質的にＵ字型であることを特徴とする、請求項１から請求項４のいずれか１項に記載の枕。
【請求項６】
前記第１の側部と第２の側部とが互いに接触することができるように、前記枕は調節機構を有することを特徴とする、請求項１から請求項５のいずれか１項に記載の枕。
【請求項７】
加熱要素をさらに備えることを特徴とする、請求項１から請求項６のいずれか１項に記載の枕。
【請求項８】
取り外し可能なカバーをさらに備えることを特徴とする、請求項１から請求項７のいずれか１項に記載の枕。
【請求項９】
前記第１の側部及び第２の側部のうちの少なくとも一方が、ポケットを備えることを特徴とする、請求項１から請求項８のいずれか１項に記載の枕。
【請求項１０】
前記後部は、前記枕が１８０度回転した位置で使用されている場合に、前記後部が顎サポートを画定するように形成されていることを特徴とする、請求項１から請求項９のいずれか１項に記載の枕。
【請求項１１】
ベース側内周壁と、１つ以上のベース側外周壁と、ベース側後壁とを有する、実質的にＵ字型のベースクッションと、
前記ベースクッションの上面にあり、上置き側内周壁と、１つ以上の上置き側外周壁と、上置き側後壁とを有する、実質的にＵ字型の上置きクッションと、を備える枕であって、
前記ベース側後壁及び前記上置き側後壁は、互いに同一平面であり、実質的に平坦であることを特徴とする、枕。
【請求項１２】
前記上置きクッションは、前記ベースクッションと一体化していることを特徴とする、請求項１１に記載の枕。
【請求項１３】
前記ベース側内周壁と前記上置き側内周壁とが、互いに同一平面であることを特徴とする、請求項１１又は請求項１２に記載の枕。
【請求項１４】
前記上置きクッションは、前記上置き側内周壁において２つの切り欠きを画定することを特徴とする、請求項１１から請求項１３のいずれか１項に記載の枕。
【請求項１５】
前記上置き側内周壁及び前記上置き側後壁が共に上置き側後部を少なくとも部分的に画定し、
前記上置き側内周壁及び前記１つ以上の上置き側外周壁が共に１つ以上の上置き側側部を少なくとも部分的に画定し、
前記上置き側後部は、前記１つ以上の上置き側側部のいずれよりも薄いことを特徴とする、請求項１１から請求項１４のいずれか１項に記載の枕。
【請求項１６】
前記上置きクッションは、前記ベースクッションの前記上面の全面より少ない面にあることを特徴とする、請求項１１から請求項１５のいずれか１項に記載の枕。
【請求項１７】
ベース側後部と、第１のベース側側部と、第２のベース側側部とを有する、実質的にＵ字型のベースクッションと、
上置き側後部と、第１の上置き側側部と、第２の上置き側側部とを有する、実質的にＵ字型の上置きクッションと、を備える枕であって、
前記上置き側後部は、前記第１の上置き側側部及び前記第２の上置き側側部のいずれよりも薄いことを特徴とする、枕。
【請求項１８】
前記ベース側後部は、前記第１のベース側側部及び前記第２のベース側側部のいずれよりも薄いことを特徴とする、請求項１７に記載の枕。
【請求項１９】
前記ベース側後部はベース側後壁を有し、前記上置き側後部は上置き側後壁を有しており、
前記ベース側後壁と前記上置き側後壁とが互いに同一平面であることを特徴とする、請求項１７又は請求項１８に記載の枕。
【請求項２０】
前記ベース側後壁及び前記上置き側後壁は実質的に平坦であることを特徴とする、請求項１７から請求項１９のいずれか１項に記載の枕。
【手続補正２】
【補正対象書類名】明細書
【補正対象項目名】０００７
【補正方法】変更
【補正の内容】
【０００７】
［発明の概要］
本発明は、Ｕ字型の柔軟なベースクッションと、該ベースクッションの上面に固定された第２のＵ字型の上置きクッションとを備える旅行用枕を開示している。ベースクッションおよび上置きクッションの内周壁は互いに同一平面であり、首に快適な面を提供している。更に、ベースクッションおよび上置きクッションの後壁は、例えばヘッドレスト、シート、あるいは椅子などの平面に、より良好に接触するよう、互いに同一平面かつ実質的に平坦である。上置きクッションの後部は、上置きクッションの各側部よりも薄く、ヘッドレスト、シートあるいは椅子の形状に、より容易に適合することによって、頭の位置をより自由に調節することが可能になっている。取外し可能なカバーが、ベースクッションおよび上置きクッションを覆うように構成されている。カバーは更に、カバーの外側が、カバーの内側とは対照的な外観を有するリバーシブルであってもよい。該枕は、人の首および頭の後側にフィットするよう、人間工学的に構成されており、頭および首の後側をシートに揃えて、人の頭を前方に押し出さないようになっている。
【手続補正３】
【補正対象書類名】明細書
【補正対象項目名】００１４
【補正方法】変更
【補正の内容】
【００１４】
図１および図２は、上面２８と、底面２２と、外周壁２９と、内周壁２１と、後壁２７と、１組の対向する前壁２３とを有する柔軟なＵ字型ベースクッション２０を備える、旅行用枕１０を図示している。Ｕ字型の上置きクッション３０は、ベースクッション２０の上面２８に固定されている。上置きクッション３０は、上面３８と、底面３２と、後壁３４（図５）と、外周壁３９と、内周壁３１とを備え、これら全てが上置きクッション３０の後部３７、および２つの対向する側部３５を画定している（図４）。ベースクッション２０の内周壁２１および上置きクッション３０の内周壁３１は、互いに同一平面であり、首に快適な面を提供している。
【手続補正４】
【補正対象書類名】明細書
【補正対象項目名】００１５
【補正方法】変更
【補正の内容】
【００１５】
ベースクッション２０の上面３８は実質的に平坦であり、上置きクッション３０の上面３８は、上置きクッション３０の内周壁３１と外周壁３９との間で湾曲している（図２）か、あるいは平坦になっている（図３）。ベースクッション２０の後壁２７および上置きクッション３０の後壁３４は、ヘッドレストあるいは椅子（図示なし）等の平面に対してより良好に接触するよう、互いに同一平面であり（図４）かつ実質的に平坦になっている。更に、後部３７の外周壁３９および内周壁３１が実質的に同一の高さであるのに対し、上置きクッション３０の外周壁３９は、対向する側部３５の内周壁３１よりも高く延出していてもよい（図２）。上置きクッション３０の後部３７は、各側部３５より薄く（図４）、ヘッドレスト、シートあるいは椅子の形状に、より容易に適合することによって、頭の位置をより自由に調節することが可能になっている。
【手続補正５】
【補正対象書類名】図面
【補正対象項目名】図４
【補正方法】変更
【補正の内容】
【図４】
2015512748.tif 000001
【手続補正６】
【補正対象書類名】図面
【補正対象項目名】図５
【補正方法】変更
【補正の内容】
【図５】
2015512748.tif 000002
【手続補正７】
【補正対象書類名】図面
【補正対象項目名】図６
【補正方法】変更
【補正の内容】
【図６】
2015512748.tif 000003